(57)【要約】【課題】  マクロ釦が誤操作される率が著しく低減されたカメラを提供すること。【解決手段】  マクロ釦１０１Ｃをファインダ接眼部１０１Ａに設ける。さらにファインダ接眼部１０１Ａにマクロモード表示用の発光体１０１Ｄを設けてマクロ釦１０１Ｃが操作されマクロ撮影モードが指定されたときにその発光体１０１Ｄを発光させる。撮影が行われるときにはファインダ接眼窓１０１Ａを覗くことにより被写体が視認されることを利用して、撮影操作が行われるときには操作しない位置にマクロ釦１０１Ｃを設けることでマクロ釦１０１Ｃが誤操作される率を低減する。マクロ釦１０１Ｃが誤操作されても発光体１０１Ｄが発光してマクロ撮影モードであることが撮影者に通知され、誤った撮影モードでの撮影が防止される。【選択図】  図２
2005274989.tif 000002
【特許請求の範囲】
【請求項１】
焦点距離可変な撮影光学系を備え、該撮影光学系で被写体を捉えて撮影を行なうカメラにおいて、
焦点距離可変であって、所定の第１の至近距離までピントが調節される通常撮影モードと、所定の焦点距離に固定するとともに前記第１の至近距離よりも至近距離である第２の至近距離までピントが調節されるマクロ撮影モードとを切り換えるマクロ釦と、
ファインダ接眼窓を有する突出したファインダ接眼部を有し、撮影者が該ファインダ接眼窓を覗くことにより被写体が視認されるファインダとを備え、
前記マクロ釦は、前記ファインダ接眼部に、該ファインダ接眼部の表面よりも窪んだ状態に設けられたものであることを特徴とするカメラ。
【請求項２】
前記マクロ撮影モードにあるか否かを表示する発光体が、前記ファインダ接眼部に設けられていることを特徴とする請求項１記載のカメラ。
【発明の詳細な説明】
【技術分野】
【０００１】
本発明は、焦点距離可変な撮影光学系を備え、その撮影光学系で被写体を捉えて撮影を行なうカメラに関する。
【背景技術】
【０００２】
カメラの中にはマクロ撮影モードを備えたものがある（例えば特許文献１参照）。このマクロ撮影モードが指定されると、通常撮影の至近距離よりもさらに至近距離にある被写体の撮影を鮮明に行える。このマクロ撮影モードで撮影を行なうときには通常撮影のピント位置が通常の至近距離よりもさらに至近距離側にシフトしてしまうため、マクロ撮影モードを指定したまま、通常撮影を行なうと、ピントがずれてしまうことがある。逆に通常撮影モードを指定したまま、マクロ撮影を行なうと、同様にピントがずれてしまうことがある。
【０００３】
このマクロ撮影モードを有するカメラでマクロモードを指定する場合には、表示メニュの中からマクロ撮影モードを選択するものやマクロ釦を操作してマクロ撮影モードを選択するものがある（例えば特許文献２参照）。前者のものについては、２アクション以上の操作を必要とするため、無意識のうちにそのマクロ撮影モードを操作してしまうということは有り得ないが、後者のものにおいては、通常のカメラに配備されているズームスイッチやモードダイヤルなどを操作しているうちにうっかり誤操作してしまう恐れがある。カメラとしての操作性を考慮すると、表示メニューの選択項目の中にマクロ撮影モードを配備するよりは、マクロ釦を設けた方が操作し易い。
【特許文献１】特開平１０−３４１３５９号公報
【特許文献２】特開平１１−２１８８２９号公報
【発明の開示】
【発明が解決しようとする課題】
【０００４】
本発明は、上記事情に鑑み、マクロ釦を設けてもそのマクロ釦が誤操作される率が著しく低減されたカメラを提供することを目的とする。
【課題を解決するための手段】
【０００５】
上記目的を達成する本発明のカメラは、焦点距離可変な撮影光学系を備え、その撮影光学系で被写体を捉えて撮影を行なうカメラにおいて、
焦点距離可変であって、所定の第１の至近距離までピントが調節される通常撮影モードと、所定の焦点距離に固定するとともに上記第１の至近距離よりも近距離である第１の至近距離よりも至近距離である第２の至近距離までピントが調節されるマクロ撮影モードを切り換えるマクロ釦と、
上記ファインダ接眼窓を有する突出したファインダ接眼部を有し、撮影者がそのファインダ接眼窓を覗くことにより被写体が視認されるファインダとを備え、
上記マクロ釦は、上記ファインダ接眼部に、そのファインダ接眼部の表面よりも窪んだ状態に設けられたものであることを特徴とする。
【０００６】
このカメラでは、マクロ撮影時にファインダを覗きながら撮影を行なうことを前提として、ファインダ接眼部にマクロ釦が設けられている。そうすると、上記ファインダ接眼部に顔を近づけてファインダを覗いて撮影を行なおうとしているときにそのマクロ釦にまで手が伸びることがなくなり、マクロ釦が誤操作される率が低減される。しかもファインダ接眼部の表面よりも窪んだ状態にマクロ釦が設けられているので、撮影者がファインダ接眼部を覗いたときにそのマクロ釦がフレーミングの邪魔になるといったこともない。
【０００７】
ここで、上記マクロ撮影モードにあるか否かを表示する発光体が、上記ファインダ接眼部に設けられていることが好ましい。
【０００８】
上記マクロ釦をファインダ接眼部に配設したことに加えて、上記発光体によりファインダを覗いているときにマクロ撮影モードであるか否かが撮影者に知らされると、マクロ釦が誤操作される率が低減されたことに加え、上記発光体によりマクロ撮影モードあるか否かが撮影者に視覚的に伝えられ、撮影時にどちらの撮影モードであるかが撮影者によってすぐに確認される。
【発明の効果】
【０００９】
以上、説明したように、マクロ釦を設けてもそのマクロ釦が誤操作される率が著しく低減されたカメラが実現される。
【発明を実施するための最良の形態】
【００１０】
以下図面を参照して本発明の実施の形態を説明する。
【００１１】
図１は、本発明の一実施形態であるカメラの外観を示す斜視図である。
【００１２】
図１に示すようにカメラボディ１ａの中央部にレンズ鏡胴１１が備えられており、そのレンズ鏡胴１１の上方には測光窓１２やＡＦ窓１３やファインダ窓１０１Ｅなどが配備されている。さらにそのファインダ窓１０１Ｅの横には閃光発光窓１４が設けられ、またカメラボディ１ａの上面にはレリーズ釦１５が設けられている。さらに背面側にはファインダ１０１のファインダ接眼部１０１Ａがカメラボディ１ａから突出するようにして設けられている。
【００１３】
図２は図１のカメラの背面を示す図である。
【００１４】
図１に示すようにカメラボディ１ａの背面側には表示パネル１６が設けられており、その表示パネル１６の右下部には電源投入用の電源スイッチ１８が設けられている。
【００１５】
このカメラ１は、焦点距離可変な撮影光学系を備え、その撮影光学系で被写体を捉えて撮影を行なうカメラで、焦点距離可変であって所定の第１の至近距離までピントが調節される通常撮影モードと、所定の焦点距離に固定するとともにその第１の至近距離よりも近距離である第２の至近距離までピントが調節されるマクロ撮影モードとを切り換えるマクロ釦１０１Ｃと、ファインダ接眼窓１０１Ｂを有する突出したファインダ接眼部１０１Ａを有し、撮影者がそのファインダ接眼窓１０１Ｂを覗くことにより被写体が視認されるファインダ１０１とを備えている。また、そのファインダ１０１のファインダ接眼部１０１Ａに設けられているマクロ釦１０１Ｃはファインダ接眼部１０１Ａの表面よりも窪んだ状態に設けられている。また、ファインダ接眼窓の脇にはマクロ釦１０１Ｃの操作によりマクロ撮影モードが指定されたかどうかを撮影者に通知する発光体１０１Ｄが設けられている。すなわち、マクロ釦１０１Ｃの操作によりマクロ撮影モードが指定されたときにはその発光体１０１Ｄが発光してマクロ撮影モードであることが撮影者に視覚的に通知される。ここではその発光体１０１Ｄとして測距用の発光体をマクロ表示用として兼用させており、この発光体１０１Ｄを測距用のものとして使用する場合には、点灯と点滅という２つの表示態様を用いてピントがあっているか否かを通知し、マクロ表示用としてその発光体を使用する場合には、測距用として使用するときよりも遅い周期で点滅させて撮影者にマクロ撮影モードであることを通知するようにしている。
【００１６】
このようにファインダ接眼部１０１Ａの表面よりも窪んだ状態にマクロ釦１０１Ｃが設けられているので、撮影者がファインダ接眼部１０１Ａを覗いたときにそのマクロ釦１０１Ｃがフレーミングの邪魔になるといったことがない。また、マクロ撮影モードでの撮影がファインダ接眼部を覗きながらの撮影が多いことを考慮して、ファインダ接眼部にマクロ釦を設けることで誤操作される確率を低減している。
【００１７】
ここで、マクロ釦１０１Ｃ部の構成を、図３を参照して説明する。
【００１８】
図３は、外装カバー１ａを外してカメラ内部を見た図である。
【００１９】
図３に示すようにこのカメラの内部には多数の電気部品や多数の部材が要領よく実装されている。マクロ釦１０１Ｃが組み付けられる部分にはスイッチ用のパターン１００Ａが設けられており、マクロ釦１０１Ｃが押されるとそのパターン１００Ａがショートする構成になっている。そのマクロ釦１０１Ｃが押されてパターン１００Ａがショートすることにより電気信号がカメラ内部の制御部（不図示）に供給されると、その制御部によりマクロ撮影モードであると判定され、制御部により鏡胴を通常撮影時よりもさらに伸張させるようにという指示が鏡胴用のモータに与えられる。そうすると、この鏡胴の伸動作に応じて通常撮影の第１の至近距離よりもさらに近距離である第２の至近距離までピントがあうように撮影光学系のレンズ位置が調節される。ただし、通常撮影時の望遠位置での焦点距離とマクロ撮影モード時の焦点距離は固定されたままである。このカメラの撮影光学系はもともとこのマクロ撮影モードの至近距離から無限大までの距離にピントをあわせる実力を持つものであり、通常撮影時には第２の至近距離までピントをあわせる必要がないので、鏡胴を伸張させる長さを若干縮小させて第１の至近距離までとし、より鮮明な撮影を行えるようにしている。
【００２０】
このようにしてマクロ撮影モードと通常撮影モードとの切替がマクロ釦１０１Ｃ一つで行なわれる。
【００２１】
次にファインダ接眼部の構成を、図４を参照して説明する。
【００２２】
図４は、そのマクロ釦１０１Ｃと背面側の外装カバー１ａとファインダ接眼部１０１Ａの窓枠１０１Ｂをカメラ本体から外して示した分解図である。
【００２３】
図４に示すようにパターン１００Ａ上部を覆うように外装カバー１ａが組み付けられ、さらにマクロ釦１０１Ｃがカメラ本体に取り付けられた後、背面側の外装カバー１ａがカメラ本体に組み付けられる。その外装カバー１ａの切欠部１０００にファインダ接眼窓１０Ｂを有するファインダ接眼部１０１Ａが組み込まれる。このファインダ接眼部１０１にはファインダ接眼窓１０１Ｂとマクロ釦１０１Ｃを貫通させる穴１０１１と発光体１０１Ｄを貫通させる穴１０１２とが設けられており、ファインダ接眼部１０１Ａがカメラ本体に組み込まれるときには、それらの穴位置と発光体１０１Ｄとパターン１００Ａとを位置合わせしながらマクロ釦１０１Ｃと発光体カバー１０１０Ｄとが各穴に嵌め込まれるようにしてカメラボディ側に整然と組み込まれる。
【００２４】
前述したようにマクロ釦１０１Ｃを押してパターン１００Ａをショートさせることにより内部の制御部にマクロ撮影モードであることを伝えて制御部からモータに指示を与えてモータに鏡胴を駆動させることにより前述した第１の至近距離よりも至近距離である第２の至近距離までピントが調節される。もし、通常撮影を行なうときに誤ってマクロ撮影モードが指定されてしまうと、第２の至近距離までピントが調節されてしまうため、通常撮影において若干ピントがずれて不鮮明な写真が得られてしまう。そこでマクロ撮影時にファインダを覗きながら撮影を行なうことを前提として、マクロ釦１０１Ｃをファインダ接眼部１０１Ａに設け、ファインダ１０１を覗きながら撮影を行おうとしているときには、このマクロ釦１０１Ｃが誤操作されないようにしている。また、マクロ釦１０１Ｃが誤操作されても、マクロ撮影モードに切り替えられたことがファインダ接眼部１０１Ａにある発光体１０１Ｄが発光して撮影者に通知されるため、マクロ撮影モードで通常撮影を行なうといったことがなくなる。
【００２５】
また、マクロ撮影モード時に通常撮影が行なわれる率も低減され、第２の至近距離までピントが調節された撮影光学系で通常撮影を行ってしまうといったことも防止される。
【００２６】
以上説明したように、ファインダ接眼部１０１Ａにマクロ釦１０１Ｃと発光体１０１Ｄとを設けることで、マクロ釦１０１Ｃが誤操作される率が一段と低減されたカメラが実現される。
【図面の簡単な説明】
【００２７】
【図１】本発明の実施形態であるカメラの外観を正面斜め上方から見た斜視図である。
【図２】本発明の実施形態であるカメラの外観を背面斜め上方から見た斜視図である。
【図３】外装カバーを外してカメラ内部を見た図である。
【図４】外装カバーとファインダ接眼部とマクロ釦とを分解して示した分解図である。
【符号の説明】
【００２８】
１    カメラ
１ａ    カメラボディ
１１    鏡胴
１２    測光窓
１３    ＡＦ窓
１４    閃光発光窓
１５    レリーズ釦
１６    表示パネル
１０１    ファインダ
１０１Ａ    ファインダ接眼部
１０１Ｂ    ファインダ接眼窓
１０１Ｃ    マクロ釦
１０１Ｄ    発光体
１０１Ｅ    ファインダ窓
１０１１  １０１２    穴
【図１】
2005274989.tif 000003
【図２】
2005274989.tif 000004
【図３】
2005274989.tif 000005
【図４】
2005274989.tif 000006